(57)【要約】【課題】装置本体の外部に延伸されるシートカセットを保護することが可能なカバー部材を備え、装置本体の内部に配置される部材とカバー部材との干渉を抑止した画像形成装置を提供する。【解決手段】プリンター１００の筐体２００は、シートを収容するカセット１１０と、カセットカバー７とを備える。カセット１１０は、背面壁２４５側から筐体２００の外側に突出した状態で筐体２００に装着される。カセットカバー７は、カセット１１０が筐体２００に装着されていない第１の状態において、開口部２００Ｑを封止する。また、カセットカバー７は、カセット１１０が筐体２００に装着される第２の状態において、カセット１１０に当接されることで回動され、カセット１１０のうち筐体２００の外部に露出した部分の上方を覆う。【選択図】図６
2014109622.tif 000002
【特許請求の範囲】
【請求項１】
上下方向に延伸される第１の壁部と、前記第１の壁部とは反対側で上下方向に延伸される第２の壁部と、前記第１の壁部と前記第２の壁部との間に形成された内部空間と、を備える筐体と、
前記内部空間に配置され、シートに画像を形成する画像形成部と、
前記第１の壁部側から前記内部空間に対して前記第１の壁部と交差する挿入方向に挿入され、かつ、前記第２の壁部側から前記筐体の外側に突出した状態で前記筐体に装着され、上方が開放され内部に前記シートを収容するシートカセットと、
前記第２の壁部に開口され、前記シートカセットが通過する開口部と、
前記シートカセットが前記筐体に装着されていない第１の状態において、前記開口部を封止するとともに前記第２の壁部の一部を形成し、前記シートカセットが前記筐体に装着される第２の状態において、前記シートカセットの一部に当接されることで回動され、前記シートカセットのうち前記筐体の外部に露出した部分の上方を覆うカバー部材と、
を有することを特徴とする画像形成装置。
【請求項２】
前記カバー部材は、前記第１の状態において、上下方向に第１の長さをもって前記開口部を封止し、前記第２の状態において、前記挿入方向に前記第１の長さよりも長い第２の長さをもって前記シートカセットの上方を覆うことを特徴とする請求項１に記載の画像形成装置。
【請求項３】
前記カバー部材は、前記第２の状態において、前記シートカセットに当接されることで、前記第１の長さから前記第２の長さに延伸されることを特徴とする請求項２に記載の画像形成装置。
【請求項４】
前記カバー部材は、
前記第１の状態において、上端側に前記カバー部材の前記回動における支点となる支点部を備え、上下方向に延伸される第１プレートと、
前記シートカセットに付勢される第１付勢部を備え、前記第１プレートに沿って延伸され、前記第１プレートに対してスライド移動可能な第２プレートと、を備え、
前記シートカセットは、前記第２プレートの前記第１付勢部に当接可能な第１当接面を含む当接部を備え、
前記シートカセットが前記カバー部材に当接することで、前記カバー部材が前記支点部回りに回動され、かつ、前記シートカセットの前記第１当接面が前記第２プレートの前記第１付勢部に当接することで、前記第２プレートが前記第１プレートに対してスライド移動し、前記カバー部材が前記第１の長さから前記第２の長さに延伸されることを特徴とする請求項３に記載の画像形成装置。
【請求項５】
前記第１プレートは、
前記第１の状態において上下方向に延伸される第１基板部と、
前記第１基板部と間隔をおいて配置され、前記第１基板部との間で前記第２プレートをスライド移動可能に支持する支持部とを備え、
前記第２プレートは、
前記第１基板部に沿って延伸され、前記第１基板部と前記支持部との間に挿通される第２基板部と、
前記第２の状態の前記第２基板部の前記挿入方向下流側の端部において、前記第２基板部と交差して配置され、前記シートカセットの前記第１当接面に付勢される前記第１付勢部と、
前記第２の状態の前記第２基板部のうち前記第１付勢部よりも前記挿入方向上流側において前記シートカセットに対向して突設される第２付勢部と、を備え、
前記挿入方向とは逆方向に向かって前記シートカセットが前記筐体から脱離される第３の状態において、前記シートカセットの前記当接部のうち前記第１当接面とは反対側の第２当接面が前記第２プレートの前記第２付勢部に当接することで、前記第２プレートが前記第１プレートに対してスライド移動し、前記カバー部材が前記第２の長さから前記第１の長さに収縮されることを特徴とする請求項４に記載の画像形成装置。
【請求項６】
前記第２付勢部は、
前記第２基板部に固定された固定端部と、
前記第２の状態において、前記固定端部から下方かつ前記挿入方向下流側に向かって延伸され、前記当接部の前記第２当接面に当接される自由端部と、
前記固定端部と前記自由端部との間で前記シートカセットに対向して配置される傾斜部と、を備えた板ばね部材であり、
前記シートカセットの前記当接部は、
前記第１の状態から前記第２の状態への変化に伴って、前記第１付勢部を前記挿入方向に付勢しながら、第１基板部と支持部との間から前記第２付勢部を脱離させ、
前記第２状態から前記第３の状態への変化に伴って、前記第２付勢部の前記自由端部を付勢し、前記傾斜部を前記第１プレートの前記支持部に当接させながら、前記第２付勢部を前記第１基板部と前記支持部との間に収容させた後、前記支持部の下方を通過して前記カバー部材から脱離されることを特徴とする請求項５に記載の画像形成装置。
【請求項７】
前記第３の状態において、前記シートカセットが前記カバー部材から脱離されると、前記カバー部材の自重によって、前記カバー部材が前記支点部回りに回動され、前記開口部を封止することを特徴とする請求項５または６に記載の画像形成装置。
【請求項８】
上下方向の前記カバー部材と重なる位置において前記内部空間に配置され、前記シートカセットに収容される前記シートに当接することによって、前記シートの有無状態を検知するアクチュエーターを有することを特徴とする請求項１乃至７の何れか１項に記載の画像形成装置。
【請求項９】
前記シートカセットの前記挿入方向下流側の端部に立設され、上方に前記当接部を含む壁部を備え、
前記壁部のうち、前記挿入方向と交差するシート幅方向において前記アクチュエーターに対向する位置に開口され、前記シートカセットが前記内部空間を通過する際に、前記アクチュエーターが進入する切欠き部を有することを特徴とする請求項８に記載の画像形成装置。
【請求項１０】
前記シートカセットは、内部に収容されるシートのサイズに応じて、前記挿入方向に伸縮可能とされ、前記挿入方向に延伸された場合に、前記第２の壁部側から前記筐体の外側に突出した状態で前記筐体に装着され、前記カバー部材によって上方を覆われることを特徴とする請求項１乃至９の何れか１項に記載の画像形成装置。
【発明の詳細な説明】
【技術分野】
【０００１】
本発明は、シートに画像を形成する画像形成装置に関し、特に、画像形成装置の装置本体に着脱可能とされるシートカセットを備えた画像形成装置に関する。
【背景技術】
【０００２】
従来、シートに画像を形成する画像形成装置では、感光体ドラムと、露光装置と、現像装置と、転写装置と、定着装置と、を備える画像形成部が配置される。露光装置によって感光体ドラム上に静電潜像が形成され、該静電潜像が現像装置によってトナー像として顕在化される。そして、感光体ドラム上のトナー像が転写装置によってシートに転写される。トナー像が転写されたシートは、定着装置によって定着処理を施された後、排出される。
【０００３】
上記のような画像形成装置には、複数枚のシートが積載され、画像形成装置の装置本体に対して、着脱可能とされるシートカセットが配置される。このようなシートカセットにおいて、装置本体の奥行きよりも長いサイズのシートが収容されるために、前記シートカセットが伸縮可能とされる技術が知られている。引き伸ばされた状態のシートカセットは、装置本体の一端側の壁部から挿入された後、装置本体の他端側の壁部から外側に突出した状態で、装置本体に装着される。この際、装置本体の外側に突出したシートカセットの上面部が外部に露出されると、クリップなどの異物が内部に落下、進入することがある。特許文献１には、カセット本体とともに伸縮可能とされる蓋部材を備えたシートカセットが開示されている。また、特許文献２には、シートカセットの装着方向に延伸されるカバー部材が予め装置本体の内部に延伸され、該カバー部材がシートカセットの装着とともに装置本体の外部に移動される技術が開示されている。
【先行技術文献】
【特許文献】
【０００４】
【特許文献１】特開平１１−９２０１１号公報
【特許文献２】特開２００８−２２２４２０号公報
【発明の概要】
【発明が解決しようとする課題】
【０００５】
画像形成装置の装置本体の内部には、画像形成部の他にもさまざまな部材が配置される。この中には、シートカセットの上方に配置される部材がある。シートカセットに収容されるシートの有無を検知するために、シートカセットの内部に向かって延伸されるアクチュエーターもその一つである。アクチュエーターは、装置本体の内部において揺動可能に支持される。シートカセット内にシートが収容されている場合、アクチュエーターの先端部が回動され、フォトインタラプタなどのセンサーによってシートが検知される。
【０００６】
上記のように、装置本体の内部において、シートカセットの上方にアクチュエーターが配置される場合、特許文献１に記載されたシートカセットの蓋部材が装置本体の内部を通過すると、蓋部材とアクチュエーターとが干渉しやすい。また、特許文献２に記載されたカバー部材が、装置本体の内部を移動した場合も、同様にアクチュエーターとカバー部材とが干渉することがあった。この結果、アクチュエーターが破損するという問題があった。
【０００７】
本発明は、上記問題に鑑みてなされたものであり、装置本体の外部に延伸されるシートカセットを保護することが可能なカバー部材を備え、装置本体の内部に配置される部材とカバー部材との干渉を抑止した画像形成装置を提供することを目的とする。
【課題を解決するための手段】
【０００８】
本発明の一局面に係る画像形成装置は、上下方向に延伸される第１の壁部と、前記第１の壁部とは反対側で上下方向に延伸される第２の壁部と、前記第１の壁部と前記第２の壁部との間に形成された内部空間と、を備える筐体と、前記内部空間に配置され、シートに画像を形成する画像形成部と、前記第１の壁部側から前記内部空間に対して前記第１の壁部と交差する挿入方向に挿入され、かつ、前記第２の壁部側から前記筐体の外側に突出した状態で前記筐体に装着され、上方が開放され内部に前記シートを収容するシートカセットと、前記第２の壁部に開口され、前記シートカセットが通過する開口部と、前記シートカセットが前記筐体に装着されていない第１の状態において、前記開口部を封止するとともに前記第２の壁部の一部を形成し、前記シートカセットが前記筐体に装着される第２の状態において、前記シートカセットの一部に当接されることで回動され、前記シートカセットのうち前記筐体の外部に露出した部分の上方を覆うカバー部材と、を有することを特徴とする。
【０００９】
本構成によれば、シートカセットは、第１の壁部側から内部空間に対して第１の壁部と交差する方向に挿入され、かつ、第２の壁部側から筐体の外側に突出した状態で筐体に装着される。そして、シートカセットは、上方が開放された状態で内部にシートを収容する。シートカセットのうち筐体から外側に突出した部分では、上方が開放されているため異物が内部に進入しやすい。このような場合であっても、カバー部材は、シートカセットが筐体に装着される第２の状態において、シートカセットの一部に当接されることで回動され、シートカセットのうち筐体の外部に露出した部分の上方を覆う。このため、シートカセットの上方が好適に保護され、シートカセットの内部に異物が進入することが抑止される。更に、カバー部材は、第１の状態において、開口部を封止するとともに第２の壁部の一部を形成する。そして、カバー部材は、第１の状態から第２の状態への変化において回動されることで、筐体の外側に移動される。このため、カバー部材が第１の壁と第２の壁側との間で筐体の内部空間を通過することがなく、カバー部材と内部空間に配置される他の部材とが干渉することが抑止される。
【００１０】
上記の構成において、前記カバー部材は、前記第１の状態において、上下方向に第１の長さをもって前記開口部を封止し、前記第２の状態において、前記挿入方向に前記第１の長さよりも長い第２の長さをもって前記シートカセットの上方を覆うことが望ましい。
【００１１】
本構成によれば、第１の状態では、カバー部材がコンパクトな状態で開口部を封止することができる。一方、第２の状態では、カバー部材がシートカセットのより広い領域を覆うことが可能となる。
【００１２】
上記の構成において、前記カバー部材は、前記第２の状態において、前記シートカセットに当接されることで、前記第１の長さから前記第２の長さに延伸されることが望ましい。
【００１３】
本構成によれば、シートカセットの装着動作によって、カバー部材を延伸することが可能となる。
【００１４】
上記の構成において、前記カバー部材は、前記第１の状態において、上端側に前記カバー部材の前記回動における支点となる支点部を備え、上下方向に延伸される第１プレートと、前記シートカセットに付勢される第１付勢部を備え、前記第１プレートに沿って延伸され、前記第１プレートに対してスライド移動可能な第２プレートと、を備え、前記シートカセットは、前記第２プレートの前記第１付勢部に当接可能な第１当接面を含む当接部を備え、前記シートカセットが前記カバー部材に当接することで、前記カバー部材が前記支点部回りに回動され、かつ、前記シートカセットの前記第１当接面が前記第２プレートの前記第１付勢部に当接することで、前記第２プレートが前記第１プレートに対してスライド移動し、前記カバー部材が前記第１の長さから前記第２の長さに延伸されることが望ましい。
【００１５】
本構成によれば、第１の状態では、第２プレートが第１プレートに沿うように配置されることで、カバー部材を第１の長さの範囲に収めることが可能となる。また、第２の状態では、第２プレートが第１プレートに対してスライド移動することによって、カバー部材が第２の長さに延伸することが可能となる。この際、シートカセットの第１当接面が第２プレートの第１付勢部に当接することで、シートカセットの装着動作に連動して、カバー部材を延伸させることができる。
【００１６】
上記の構成において、前記第１プレートは、前記第１の状態において上下方向に延伸される第１基板部と、前記第１基板部と間隔をおいて配置され、前記第１基板部との間で前記第２プレートをスライド移動可能に支持する支持部とを備え、前記第２プレートは、前記第１基板部に沿って延伸され、前記第１基板部と前記支持部との間に挿通される第２基板部と、前記第２の状態の前記第２基板部の前記挿入方向下流側の端部において、前記第２基板部と交差して配置され、前記シートカセットの前記第１当接面に付勢される前記第１付勢部と、前記第２の状態の前記第２基板部のうち前記第１付勢部よりも前記挿入方向上流側において前記シートカセットに対向して突設される第２付勢部と、を備え、前記挿入方向とは逆方向に向かって前記シートカセットが前記筐体から脱離される第３の状態において、前記シートカセットの前記当接部のうち前記第１当接面とは反対側の第２当接面が前記第２プレートの前記第２付勢部に当接することで、前記第２プレートが前記第１プレートに対してスライド移動し、前記カバー部材が前記第２の長さから前記第１の長さに復帰されることが望ましい。
【００１７】
本構成によれば、第２プレートの第２基板部が、第１プレートの第１基板部と支持部との間に挿通されることで、第２プレートのスライド移動が実現される。また、シートカセットが筐体から脱離される第３の状態において、シートカセットの第２当接面が、第２プレートの第２付勢部に当接することで、カバー部材が第２の長さから第１の長さに収縮される。
【００１８】
上記の構成において、前記第２付勢部は、前記第２基板部に固定された固定端部と、前記第２の状態において、前記固定端部から下方かつ前記挿入方向下流側に向かって延伸され、前記当接部の前記第２当接面に当接される自由端部と、前記固定端部と前記自由端部との間で前記シートカセットに対向して配置される傾斜部と、を備えた板ばね部材であり、前記シートカセットの前記当接部は、前記第１の状態から前記第２の状態への変化に伴って、前記第１付勢部を前記挿入方向に付勢しながら、第１基板部と支持部との間から前記第２付勢部を脱離させ、前記第２状態から前記第３の状態への変化に伴って、前記第２付勢部の前記自由端部を付勢し、前記傾斜部を前記第１プレートの前記支持部に当接させながら、前記第２付勢部を前記第１基板部と前記支持部との間に収容させた後、前記支持部の下方を通過して前記カバー部材から脱離されることが望ましい。
【００１９】
本構成によれば、第１の状態から第２の状態への変化において、シートカセットの当接部が第１付勢部を前記挿入方向に付勢しながら、第１基板部と支持部との間から第２付勢部を脱離させる。一方、第２状態から第３の状態への変化において、当接部は、第２付勢部の自由端部を付勢し、傾斜部を第１プレートの支持部に当接させながら、第２付勢部を第１基板部と支持部との間に収容させる。この後、当接部は、支持部の下方を通過してカバー部材から脱離される。したがって、当接部が第１付勢部および第２付勢部に当接し、カバー部材の延伸および収縮を実現することが可能となる。
【００２０】
上記の構成において、前記第３の状態において前記シートカセットが前記カバー部材から脱離されると、前記カバー部材の自重によって、前記カバー部材が前記支点部回りに回動され、前記開口部を封止することが望ましい。
【００２１】
本構成によれば、シートカセットがカバー部材から脱離され、内部空間を経由して筐体から取り外される際に、カバー部材が速やかに開口部を封止することができる。このため、筐体の内部空間に異物が進入することが抑止される。
【００２２】
上記の構成において、上下方向の前記カバー部材と重なる位置において前記内部空間に配置され、前記シートカセットに収容される前記シートに当接することによって、前記シートの有無状態を検知するアクチュエーターを有することが望ましい。
【００２３】
本構成によれば、シートカセットに収容されるシートの有無状態が、アクチュエーターによって好適に検知される。また、カバー部材が筐体の内部空間を通過することがなく、カバー部材とアクチュエーターとが干渉することが抑止される。
【００２４】
上記の構成において、前記シートカセットの前記挿入方向下流側の端部に立設され、上方に前記当接部を含む壁部を備え、前記壁部のうち、前記挿入方向と交差するシート幅方向において前記アクチュエーターに対向する位置に開口され、前記シートカセットが前記内部空間を通過する際に、前記アクチュエーターが進入する切欠き部を有することが望ましい。
【００２５】
本構成によれば、シートカセットが筐体から脱離する際に、シートカセットの壁部とアクチュエーターとが干渉することが抑止される。
【００２６】
上記の構成において、前記シートカセットは、内部に収容されるシートのサイズに応じて、前記挿入方向に伸縮可能とされ、前記挿入方向に延伸された場合に、前記第２の壁部側から前記筐体の外側に突出した状態で前記筐体に装着され、前記カバー部材によって上方を覆われることが望ましい。
【００２７】
本構成によれば、内部に収容されるシートのサイズに応じて、シートカセットが延伸される場合であっても、シートカセットのうち筐体から外部に露出された部分が、カバー部材によって好適に保護される。
【発明の効果】
【００２８】
本発明によれば、装置本体の外部に延伸されるシートカセットを保護することが可能なカバー部材を備え、装置本体の内部に配置される部材とカバー部材との干渉を抑止した画像形成装置が提供される。
【図面の簡単な説明】
【００２９】
【図１】本発明の一実施形態に係るプリンターの斜視図である。
【図２】本発明の一実施形態に係るプリンターの斜視図である。
【図３】本発明の一実施形態に係るプリンターの内部構造を概略的に示す断面図である。
【図４】本発明の一実施形態に係るカセットの収縮状態の斜視図である。
【図５】本発明の一実施形態に係るカセットの延伸状態の斜視図である。
【図６】本発明の一実施形態に係るプリンターにおいて、カセットの一部が外部に突出した場合の斜視図である。
【図７】本発明の一実施形態に係るプリンターにおいて、カセットカバーが開口部を封止した状態の断面図である。
【図８】本発明の一実施形態に係るプリンターにおいて、カセットがカセットカバーを開放させた状態の断面図である。
【図９】カセットが筐体から引き出される際のカセットカバー周辺の斜視図である。
【図１０】図９の状態におけるカセットカバー周辺の断面図である。
【図１１】発明の一実施形態に係るプリンターと比較されるプリンター１００Ｚに、カセット１１０Ｚが装着された状態の斜視図である。
【図１２】本発明の一実施形態に係るカセットと比較されるカセット１１０Ｚの収縮状態の斜視図である。
【図１３】発明の一実施形態に係るカセットと比較されるカセット１１０Ｚの延伸状態の斜視図である。
【図１４】発明の一実施形態に係るプリンターと比較されるプリンター１００Ｚに、カセット１１０Ｚが装着された状態の斜視図である。
【発明を実施するための形態】
【００３０】
以下、図面を参照しつつ、本発明の一実施形態について説明する。図１および図２は、本発明の一実施形態に係るプリンター１００（画像形成装置）の斜視図である。また、図３は、図１および図２に示されるプリンター１００の内部構造を概略的に示す断面図である。図１乃至図３に示される画像形成装置としてのプリンター１００は、いわゆるモノクロプリンター機であるが、他の実施形態において、画像形成装置は、カラープリンター、ファクシミリ装置、これらの機能を備える複合機やトナー画像をシートに形成するための他の装置であってもよい。尚、以下の説明で用いられる「上」や「下」、「前」や「後」、「左」や「右」といった方向を表す用語は、単に、説明の明瞭化を目的とするものであり、画像形成装置の原理を何ら限定するものではない。
【００３１】
プリンター１００は、シートＳに画像を形成するための様々な装置を収容する筐体２００を備える。筐体２００は、筐体２００の上面を規定する上壁２０１と、筐体２００の底面を規定する底壁２０１Ｂ（図３）と、上壁２０１と底壁２０１Ｂとの間の背面壁２４５（図３）と、背面壁２４５の前方に位置する前壁２５０と、を含む。前壁２５０（第１の壁部）は、上下方向に延伸される壁部であり、背面壁２４５（第２の壁部）は、前壁２５０とは反対側で上下方向に延伸される壁部である。筐体２００は、前壁２５０と背面壁２４５との間に形成され、各種の装置が配置される本体内部空間２６０（図３）（内部空間）を備える。
【００３２】
上壁２０１の中央部には、排紙部２１０が配置される。排紙部２１０は、上壁２０１の前方部分から後方部分にかけて、下方に傾斜した傾斜面からなる。排紙部２１０には、後記の画像形成部１２０において、画像が形成されたシートＳが排出される。
【００３３】
図３を参照して、プリンター１００は、カセット１１０（シートカセット）と、アクチュエーター８と、ピックアップローラー１１２と、給紙ローラー１１３と、リタードローラー１１４と、搬送ローラー１１５と、レジストローラー対１１６と、画像形成部１２０とを備える。
【００３４】
カセット１１０は、上方が開放された状態で内部にシートＳを収容する。カセット１１０は、シートＳを支持するリフト板１１１を備える。リフト板１１１は、シートＳの先頭縁を押し上げるように傾斜する。カセット１１０は、筐体２００の前壁２５０の一部を画定し、筐体２００に対して、前方に引き出し可能とされる。
【００３５】
アクチュエーター８は、上下方向で後記のカセットカバー７と重なる位置において本体内部空間２６０に配置される。アクチュエーター８は、カセット１１０に収容されるシートＳに当接することによって、シートＳの有無状態を検知する。詳しくは、アクチュエーター８は、軸部８Ａと、シート当接部８Ｂと、を備える。カセット１１０にシートＳが収容されている場合、シート先端部８Ｂが前記シートＳに当接することによって、アクチュエーター８が軸部８Ａ回りに回動される。アクチュエーター８が回動されると、アクチュエーター８から突設された不図示の遮光板が、本体内部空間２６０に配置された不図示のフォトインタラプタによって検出される。なお、シート先端部８ＢがシートＳに当接するために、アクチュエーター８はカセット１１０の内部に進入するように配置される。
【００３６】
ピックアップローラー１１２は、リフト板１１１によって押し上げられたシートＳの先頭縁上に配置される。ピックアップローラー１１２が回転すると、シートＳはカセット１１０から引き出される。給紙ローラー１１３は、ピックアップローラー１１２の下流に配設される。給紙ローラー１１３は、シートＳを更に下流に送り出す。給紙ローラー１１３によって送り出されたシートＳは、カセット１１０から後記の画像形成部１２０を経由して、排紙部２１０まで至るシート搬送路ＰＰを搬送される。リタードローラー１１４は、給紙ローラー１１３の下方に配置される。リタードローラー１１４は、給紙ローラー１１３との間で給紙ニップ部を形成する。また、リタードローラー１１４は、複数枚のシートＳが給紙ニップ部に進入した場合に、最も上方に位置する１枚のシートＳをシート搬送方向下流側に搬送し、その他のシートＳが搬送されることを防止する機能を備える。
【００３７】
搬送ローラー１１５は、給紙ローラー１１３のシート搬送方向（以下、単に搬送方向ともいう）の下流（以下、単に下流ともいう）に配設される。搬送ローラー１１５は、給紙ローラー１１３によって送り出されたシートＳを更に下流へ搬送する。シートＳの進行方向は、搬送ローラー１１５によって、逆方向に誘導される。
【００３８】
レジストローラー対１１６は、シートＳの斜め搬送を矯正する機能を有する。これにより、シートＳ上に形成される画像の位置が調整される。レジストローラー対１１６は、画像形成部１２０による画像形成のタイミングに合わせて、シートＳを画像形成部１２０に供給する。
【００３９】
画像形成部１２０は、本体内部空間２６０に配置され、シートＳに画像を形成する。画像形成部１２０は、感光体ドラム１２１と、帯電器１２２と、不図示の露光装置と、現像装置１２４と、不図示のトナーコンテナと、転写ローラー１２６と、クリーニング装置１２７とを備える。なお、画像形成部１２０のうち、感光体ドラム１２１と、帯電器１２２と、現像装置１２４と、トナーコンテナと、クリーニング装置１２７とは、不図示のプロセスユニットとして、筐体２００に対して一体的に着脱可能とされる。
【００４０】
感光体ドラム１２１は、円筒形状を有する。感光体ドラム１２１は、周面に静電潜像が形成されるとともに、該静電潜像に応じたトナー画像を担持する。
【００４１】
帯電器１２２は、所定の電圧が印加され、感光体ドラム１２１の周面を略一様に帯電させる。
【００４２】
露光装置は、帯電器１２２によって帯電された感光体ドラム１２１の周面に、レーザー光を照射する。該レーザー光は、プリンター１００に通信可能に接続されたパーソナルコンピュータなどの外部装置（図示せず）から出力された画像データに従って、照射される。この結果、感光体ドラム１２１の周面には、画像データに対応する静電潜像が形成される。露光装置は、排紙部２１０と帯電器１２２との間に配置される。
【００４３】
現像装置１２４は、静電潜像が形成された感光体ドラム１２１の周面にトナーを供給する。トナーコンテナは、現像装置１２４へトナーを供給する。トナーコンテナは、現像装置１２４に順次又は必要に応じてトナーを供給する。現像装置１２４がトナーを感光体ドラム１２１に供給すると、感光体ドラム１２１の周面に形成された静電潜像が現像（可視化）される。この結果、感光体ドラム１２１の周面に、トナー画像が形成されることとなる。
【００４４】
転写ローラー１２６は、感光体ドラム１２１の周面に当接するように、回転可能に配設される。レジストローラー対１１６から搬送されたシートＳが、感光体ドラム１２１と転写ローラー１２６との間を通過するときに、感光体ドラム１２１の周面に形成されたトナー画像が、シートＳに転写される。なお、転写ローラー１２６は、感光体ドラム１２１から見て、露光装置１２３の反対側に配置される。
【００４５】
クリーニング装置１２７は、シートＳへトナー画像が転写された後に、感光体ドラム１２１の周面に残るトナーを除去する。クリーニング装置１２７によって、清浄化された感光体ドラム１２１の周面は、再度、帯電器１２２の下方を通過し、一様に帯電される。その後、上述のトナー画像の形成が新たに行われる。
【００４６】
プリンター１００は、画像形成部１２０よりも搬送方向下流側に、シートＳ上のトナー画像を定着させる定着装置１３０を更に備える。定着装置１３０は、シートＳ上のトナーを溶融させる加熱ローラー１３１と、シートＳを加熱ローラー１３１に密着させる圧力ローラー１３２と、を備える。シートＳが加熱ローラー１３１と圧力ローラー１３２との間を通過すると、トナー画像はシートＳに定着される。
【００４７】
プリンター１００は、定着装置１３０の下流に配設された搬送ローラー対１３３と、搬送ローラー対１３３の下流に配設された排出ローラー対１３４と、を更に備える。シートＳは、搬送ローラー対１３３によって上方に搬送され、最終的に、排出ローラー対１３４によって、筐体２００から排出される。筐体２００から排出されたシートＳは、排紙部２１０上に積み重ねられる。
【００４８】
次に、本実施形態に係るカセット１１０について、更に詳述する。図４および図５は、カセット１１０の単体の斜視図である。図４はカセット１１０の収縮状態を示し、図５は、カセット１１０の延伸状態を示している。カセット１１０は、前後および左右方向に延伸される箱型形状からなる。カセット１１０の上方は開放されている。カセット１１０は、カセット前面部１１０Ａと、カセット側方後縁部１１０Ｂと、カセット後面部１１０Ｃ（壁部）と、を備える。
【００４９】
カセット前面部１１０Ａは、カセット１１０の前側の壁部である。カセット１１０が筐体２００に装着されると、カセット前面部１１０Ａは、筐体２００の前壁２５０の一部を形成する。カセット側方後縁部１１０Ｂは、カセット１１０の左右方向の一対の側壁の後端側の端縁である。カセット後面部１１０Ｃは、カセット前面部１１０Ａとは反対側の後側の壁部である。カセット１１０の内部に、シートＳが収容されるシート収容部１１０Ｓが配置される。
【００５０】
Ａ４サイズに代表される所定サイズ未満のシートＳがシート収容部１１０Ｓに収容される場合、カセット１１０は図４の収縮状態をもって、筐体２００に装着される。一方、Ａ３サイズに代表される所定サイズ以上のシートＳが収容される場合、カセット１１０は図５に示される延伸状態をもって、筐体２００に装着される。カセット１１０の延伸状態では、カセット後面部１１０Ｃに加え、カセット１１０の底部および一対の側壁の一部が、後方にスライド移動されることで、シート収容部１１０Ｓが拡充される。この際、図５に示すように、カセット後面部１１０Ｃは、カセット側方後縁部１１０Ｂよりも所定の間隔をおいて後方に配置される。
【００５１】
図２に示されるように、筐体２００は、挿入部２００Ｐと、開口部２００Ｑとを備える。挿入部２００Ｐは、前壁２５０の下方に開口される開口部分であり、本体内部空間２６０に連通される。一方、開口部２００Ｑは、背面壁２４５の下方に開口される開口部分であり、同様に本体内部空間２６０に連通される。換言すれば、筐体２００は、挿入部２００Ｐから開口部２００Ｑに至るまで、本体内部空間２６０と外部とを連通する貫通部を備える。なお、挿入部２００Ｐは、プリンター１００のカセット前面部１１０Ａによって封止され、開口部２００Ｑは、後記のカセットカバー７によって封止される。
【００５２】
カセット１１０は、前壁２５０側から本体内部空間２６０に対して、後方向（前壁２５０と交差する方向、図３の矢印ＤＣ方向）に挿入される。カセット１１０が収縮状態（図４）の場合、本体内部空間２６０に挿入されたカセット１１０のカセット後面部１１０Ｃは、背面壁２４５の内側に配置される（図２、図７参照）。一方、カセット１１０が延伸状態（図５）の場合、本体内部空間２６０に挿入されたカセット１１０は開口部２００Ｑを通過し、カセット後面部１１０Ｃが背面壁２４５側から筐体２００の外側に突出される（図６、図８参照）。
【００５３】
次に、本実施形態に係るプリンター１００と比較されるプリンター１００Ｚの課題について説明する。プリンター１００Ｚは、プリンター１００と同様にカセット１１０Ｚを備える。本実施形態に係るカセット１１０と同様に、カセット１１０Ｚは、内部に収容されるシートＳのサイズに応じて、伸縮可能とされる。図１１および図１４は、プリンター１００Ｚに、カセット１１０Ｚが装着された状態の斜視図である。図１２は、カセット１１０Ｚの収縮状態の斜視図である。図１３は、カセット１１０Ｚの延伸状態の斜視図である。
【００５４】
カセット１１０Ｚは、前壁２５０Ｚ側から筐体２００Ｚに対して、後方向に挿入される。カセット１１０Ｚが延伸状態において筐体２００Ｚに装着された場合、図１１に示されるように、カセット１１０Ｚのシート収容部１１０ＳＺが外部に露出される。クリップなどの異物がシート収容部１１０ＳＺに進入すると、シートＳに傷がつく場合や、異物がシートＳとともに筐体２００Ｓ内に搬送された結果、内部の装置が破損する場合がある。このため、カセット１１０Ｚには、図１２、図１３に示されるカバー９０が装着される。カバー９０は、カセット１１０Ｚの伸縮に際し、カセット後面部１１０ＣＺとともに移動される。そして、カバー９０は、カセット１１０Ｚと一体的に、筐体２００Ｚの内部に挿入される。この結果、図１４に示されるように、筐体２００Ｚの内部から外部に突出したカセット１１０Ｚの上方は、カバー９０によって保護される。したがって、上記のように、シート収容部１１０ＳＺに異物が進入することが抑止される。
【００５５】
一方、このようにカバー９０がカセット１１０Ｚに一体的に備えられ、筐体２００Ｚの内部を移動される場合、以下のような課題が生じる。プリンター１００Ｚの筐体２００Ｚの内部には、画像形成部の他にもさまざまな部材が配置される。この中には、カセット１１０Ｚの上方に配置される部材がある。本実施形態に係るプリンター１００が備える、前述のアクチュエーター８もその一つである。アクチュエーター８は、カセット１１０Ｚの内部に進入するように下方に向かって延伸される（図３参照）。したがって、図１４に示されるカセット１１０Ｚの装着状態から、カセット１１０Ｚが前方向に向かって引き出されると、カバー９０の前縁部９０１がアクチュエーター８と干渉する。この結果、アクチュエーター８が破損する場合がある。同様に、カバー９０がカセット１１０とともに前方向に向かって強く引き出されることによって、筐体２００Ｚの内部に配置される他の部材と干渉する場合があった。
【００５６】
上記のような課題を解決するために、本実施形態に係るプリンター１００は、カセットカバー７（カバー部材）を備える。次に、図２および図３に加え、図６乃至図１０を参照して、カセットカバー７の構造および機能について説明する。図６は、本実施形態に係るプリンター１００において、カセット１１０の一部が外部に突出した場合の斜視図である。図７は、プリンター１００においてカセットカバー７が開口部２００Ｑを封止した状態の断面図である。図８は、プリンター１００においてカセット１１０がカセットカバー７を開放させた状態の断面図である。また、図９は、カセット１１０が筐体２００から引き出される際のカセットカバー７周辺の斜視図である。図１０は、図９の状態におけるカセットカバー７周辺の断面図である。
【００５７】
カセットカバー７は、背面壁２４５の下方に配置される。カセットカバー７は、カセット１１０が筐体２００に装着されていない第１の状態において、開口部２００Ｑを封止するとともに背面壁２４５の一部を形成する（図２）。また、カセットカバー７は、延伸状態のカセット１１０が筐体２００に装着される第２の状態において、カセット１１０の挿入方向（後方向）下流側の端部に当接されることで回動される。そして、カセットカバー７は、カセット１１０のうち筐体２００の外部に露出した部分の上方を覆う（図６）。なお、図２に示されるように、カセットカバー７は、前記第１の状態において上下方向に第１の長さＬ１をもって開口部２００Ｑを封止する。一方、カセットカバー７は、前記第２の状態において、前記挿入方向に第１の長さＬ１よりも長い第２の長さＬ２をもってカセット１１０の上方を覆う（図６）。換言すれば、カセットカバー７は、前記第２の状態において、カセット１１０のうち筐体２００の外部に露出される部分に当接されることで、第１の長さＬ１から第２の長さＬ２に延伸される。
【００５８】
以下、カセットカバー７の延伸構造について詳述する。カセットカバー７は、第１カバー７１（第１プレート）と、第２カバー７２（第２プレート）とを備える。
【００５９】
第１カバー７１は、図７に示される第１の状態において上下方向に延伸される板状部材である。第１カバー７１は、上端側に支点部７１０を備える。支点部７１０は、第１カバー７１の左右方向の端部に一対配置される。支点部７１０は、左右方向に延伸される軸部である。支点部７１０は、筐体２００に配置された不図示の軸受部に挿通される。支点部７１０は、カセットカバー７の回動における支点となる。更に、第１カバー７１は、第１基板部７１１と、支持部７１２とを備える。
【００６０】
第１基板部７１１は、第１カバー７１の本体部分である。第１基板部７１１は、前記第１の状態において上下方向に延伸される。
【００６１】
支持部７１２（図９）は、第１基板部７１１の左右方向の端縁に一対配置される。支持部７１２は、第１基板部７１１と間隔をおいて配置され、第１基板部７１１との間で、第２カバー７２をスライド移動可能に支持する。
【００６２】
第２カバー７２は、第１カバー７１と同様に、図７に示される第１の状態において上下方向に延伸される板状部材である。第２カバー７２は、第１カバー７１に沿って延伸される。第２カバー７２は、第１カバー７１に対してスライド移動可能とされる。第２カバー７２は、第２基板部７２０と、第１付勢部７２１と、第２付勢部７２２とを備える。
【００６３】
第２基板部７２０は、第２カバー７２の本体部分である。第２基板部７２０は、第１基板部７１１に沿って延伸され、第１基板部７１１と支持部７１２との間に挿通される。
【００６４】
第１付勢部７２１は、図８に示される第２の状態の第２基板部７２０の前記挿入方向下流側（後側）の端部において、第２基板部７２０と交差して配置される。換言すれば、第１付勢部７２１は、第２基板部７２０と直交して下方に向かって延設される。第１付勢部７２１は、後記のカセット１１０の当接部１１０Ｄの第１当接面１１０Ｅに付勢される。
【００６５】
第２付勢部７２２は、図８に示される第２の状態の第２基板部７２０のうち、第１付勢部７２１よりも前記挿入方向上流側（前側）に配置される。第２付勢部７２２は、カセット１１０に対向して第２基板部７２０から突設される。第２付勢部７２２は、板ばね部材からなる。図７に示される第１の状態において、第２付勢部７２２は、第１カバー７１の第１基板部７１１と支持部７１２との間に収容されている。一方、第２カバー７２が第１カバー７１に対して前記挿入方向にスライド移動されると、第２付勢部７２２は、第１カバー７１の支持部７１２から後方に脱離される。
【００６６】
第２付勢部７２２は、先端部７２２Ａ（自由端部）と、固定部７２２Ｂ（固定端部）と、傾斜部７２２Ｃとを備える。固定部７２２Ｂは、第２基板部７２０に固定され、第２付勢部７２２の固定端を形成する。先端部７２２Ａは、図８に示される第２の状態において、固定部７２２Ｂから下方かつ前記挿入方向下流側（後側）に向かって延伸される。先端部７２２Ａは、第２付勢部７２２の自由端を形成する。第２付勢部７２２は、後記のカセット１１０の当接部１１０Ｄの第２当接面１１０Ｆに付勢される。傾斜部７２２Ｃは、先端部７２２Ａと固定部７２２Ｂとの間でカセット１１０に対向して配置される傾斜部分である。第２の状態において、傾斜部７２２Ｃは、下方かつ前方に面するように傾斜されている。
【００６７】
一方、カセット１１０は、当接部１１０Ｄ（図８）を備える。当接部１１０Ｄは、カセット１１０の前記挿入方向下流側の端部において、カセット後面部１１０Ｃの上方部分に配置される。当接部１１０Ｄは、第１当接面１１０Ｅと、第２当接面１１０Ｆとを備える。第１当接面１１０Ｅは、当接部１１０Ｄのうち後側の面である。第１当接面１１０Ｅは、カセット１１０が筐体２００に挿入され開口部２００Ｑから外部に露出する際に、第２カバー７２の第１付勢部７２１に当接する。第２当接面１１０Ｆは、当接部１１０Ｄのうち第１当接面１１０Ｅとは反対側の前側の面である。第２当接面１１０Ｆは、前記挿入方向とは逆方向に向かってカセット１１０が筐体２００から脱離される第３の状態において、第２カバー７２の第２付勢部７２２の先端部７２２Ａに当接する。
【００６８】
次に、カセット１１０が筐体２００に対して着脱される際のカセットカバー７の作用について説明する。図２および図６に示されるように、筐体２００にカセット１１０が装着されていない場合、または、筐体２００に収縮状態のカセット１１０（図４）が装着されている場合、カセットカバー７は、開口部２００Ｑを封止し（塞ぎ）、背面壁２４５の一部を形成する。一方、延伸状態のカセット１１０（図５）が筐体２００の挿入部２００Ｐから本体内部空間２６０に挿入されると（図３、図６の矢印ＤＣ方向）、カセット１１０のカセット後面部１１０Ｃがカセットカバー７に当接する。この結果、カセットカバー７は支点部７１０回りに回動され（図７の矢印ＤＬ方向）、カセット１１０が筐体２００の外部に露出することが許容される。カセット１１０が筐体２００の外部に向かって移動されると、カセット１１０の当接部１１０Ｄが支持部７１２の下方を通過した後、当接部１１０Ｄの第１当接面１１０Ｅが第１付勢部７２１に当接する。第１当接面１１０Ｅは第１付勢部７２１を挿入方向に付勢しながら、第２カバー７２を第１カバー７１に対して、後方にスライド移動させる。この際、第２カバー７２の第２付勢部７２２が、第１カバー７１の第１基板部７１１と支持部７１２との間から脱離される（図８、図９参照）。延伸状態のカセット１１０が完全に筐体２００に装着された際、図８に示されるように、カセットカバー７がカセット１１０のうち筐体２００の外側に露出している部分の上方を覆う。このとき、カセットカバー７は、第１の状態における第１の長さＬ１（図２）から、第２の状態における第２の長さＬ２（図６）に延伸されている。このため、カセット１１０のシート収容部１１０Ｓ（図５）にクリップなどの異物が進入することが抑止される。
【００６９】
一方、カセット１１０が筐体２００から脱離される第３の状態では、カセット１１０は前記挿入方向とは逆方向（前方向）に向かって移動される。このとき、カセット１１０の当接部１１０Ｄのうち、第２当接面１１０Ｆが、第２カバー７２の第２付勢部７２２の先端部７２２Ａを前方向に向かって付勢する（図９、図１０の矢印ＤＲ）。この結果、第２カバー７２が第１カバー７１に重なるように、換言すれば、カセットカバー７が収縮する方向に、第２カバー７２が移動される。やがて、第２付勢部７２２の固定部７２２Ｂが、支持部７１２の支持端部７１２Ａに至ると（図９）、第２付勢部７２２は、第１基板部７１１と支持部７１２との間に収容され始める。このとき、第２付勢部７２２の傾斜部７２２Ｃが支持端部７１２Ａに摺擦しながら、第２付勢部７２２の先端部７２２Ａ側が上方に移動するように、第２付勢部７２２が弾性変形する。そして、第２付勢部７２２が第１基板部７１１と支持部７１２との間に収容されるとほぼ同時に、第２付勢部７２２の先端部７２２Ａが、当接部１１０Ｄの上端部１１０Ｄ１から離間される。この際、第２カバー７２が第１カバー７１と重なった状態となり、カセットカバー７の長さが、第１の長さＬ１に復帰される。その後、当接部１１０Ｄは支持部７１２の下方を通過しながら、筐体２００の本体内部空間２６０に向かって移動される。カセット１１０の移動に伴って、カセットカバー７の自重によって、カセットカバー７が支点部７１０回りに下方に向かって回動する。やがて、カセット１１０がカセットカバー７から脱離されると、前記回動によって再びカセットカバー７が第１の長さＬ１をもって開口部２００Ｑを封止する（図２）。
【００７０】
なお、本実施形態では、カセット１１０のカセット後面部１１０Ｃには、把持開口部１１０Ｐ（切欠き部）が開口されている。把持開口部１１０Ｐは、カセット後面部１１０Ｃのうち、前記挿入方向と交差するシート幅方向においてアクチュエーター８に対向する位置に開口される。このため、カセット１１０が本体内部空間２６０を通過する際に、カセット後面部１１０Ｃとアクチュエーター８とが干渉することが更に抑制される。
【００７１】
以上、上記の実施形態によれば、延伸状態のカセット１１０は、前壁２５０側から本体内部空間２６０に対して前壁２５０と交差する方向に挿入され、かつ、背面壁２４５側から筐体２００の外側に突出した状態で筐体２００に装着される。そして、カセット１１０は、上方が開放された状態で内部にシートを収容する。カセット１１０のうち筐体２００から外側に突出した部分では、上方が開放されているため異物が内部に進入しやすい。このような場合であっても、カセットカバー７は、カセット１１０が筐体２００に装着される第２の状態において、カセット１１０の挿入方向下流側の端部に当接されることで回動され、カセット１１０のうち筐体２００の外部に露出した部分の上方を覆う。このため、カセット１１０の上方が好適に保護され、カセット１１０の内部に異物が進入することが抑止される。更に、カセットカバー７は、第１の状態において、開口部２００Ｑを封止するとともに背面壁２４５の一部を形成する。そして、カセットカバー７は、第１の状態から第２の状態への変化において回動されることで、筐体２００の外側に移動される。このため、カセットカバー７が筐体２００の本体内部空間２６０を通過することがなく、カセットカバー７と本体内部空間２６０に配置される他の部材とが干渉することが抑止される。
【００７２】
また、上記の実施形態によれば、第１の状態では、カセットカバー７が第１の長さＬ１をもってコンパクトな状態で開口部２００Ｑを封止することができる。一方、第２の状態では、カセットカバー７が第２の長さＬ２をもってカセット１１０のより広い領域を覆うことが可能となる。
【００７３】
また、上記の実施形態によれば、カセット１１０の筐体２００への装着動作によって、カセットカバー７を第１の長さＬ１から第２の長さＬ２に延伸することが可能となる。
【００７４】
また、上記の実施形態によれば、第１の状態では、第２カバー７２が第１カバー７１に沿うように配置されることで、カセットカバー７を第１の長さＬ１の範囲に収めることが可能となる。また、第２の状態では、第２カバー７２が第１カバー７１に対してスライド移動することによって、カセットカバー７が第２の長さＬ２に延伸することが可能となる。この際、カセット１１０の第１当接面１１０Ｅが第２カバー７２の第１付勢部７２１に当接することで、カセット１１０の装着動作に連動して、カセットカバー７を延伸させることができる。
【００７５】
また、上記の実施形態によれば、第２カバー７２の第２基板部７２０が、第１カバー７１の第１基板部７１１と支持部７１２との間に挿通されることで、第２カバー７２のスライド移動が実現される。また、カセット１１０が筐体２００から脱離される第３の状態において、カセット１１０の第２当接面１１０Ｆが、第２カバー７２の第２付勢部７２２を付勢することで、カセットカバー７が第２の長さＬ２から第１の長さＬ１に収縮される。
【００７６】
また、上記の実施形態によれば、第１の状態から第２の状態への変化において、カセット１１０の当接部１１０Ｄが、第１付勢部７２１を前記挿入方向に付勢しながら、第１基板部７１１と支持部７１２との間から第２付勢部７２２を脱離させる。一方、第２状態から第３の状態への変化において、当接部１１０Ｄは、第２付勢部７２２の先端部７２２Ａを付勢し、傾斜部７２２Ｃを第１カバー７１の支持部７１２に当接させながら、第２付勢部７２２を第１基板部７１１と支持部７１２との間に収容させる。この後、当接部１１０Ｄは、支持部７１２の下方を通過してカセットカバー７から脱離される。したがって、当接部１１０Ｄが第１付勢部７２１および第２付勢部７２２に当接し、カセットカバー７の延伸および収縮を実現することが可能となる。
【００７７】
また、上記の実施形態によれば、カセット１１０がカセットカバー７から脱離され、本体内部空間２６０を経由して筐体２００から取り外される際に、カセットカバー７が自重によって速やかに開口部２００Ｑを封止することができる。このため、筐体２００の本体内部空間２６０に異物が進入することが抑止される。
【００７８】
また、上記の実施形態によれば、カセット１１０に収容されるシートＳの有無状態が、アクチュエーター８によって好適に検知される。また、カセットカバー７が筐体２００の本体内部空間２６０を通過することがなく、カセットカバー７とアクチュエーター８とが干渉することが抑止される。
【００７９】
以上、本発明の実施形態に係るカセットカバー７を備えたプリンター１００（画像形成装置）について説明したが、本発明はこれに限定されるものではなく、例えば次のような変形実施形態を取ることができる。
【００８０】
（１）上記の実施形態では、当接部１１０Ｄは、カセット後面部１１０Ｃの上方に配置される態様にて説明したが、本発明はこれに限定されるものではない、当接部１１０Ｄは、カセット１１０の側壁などに配置されてもよい。
【００８１】
（２）また、上記の実施形態では、カセットカバー７のうち第１カバー７１が筐体２００の外側に配置され、第２カバー７２が筐体２００の内側に配置される態様にて説明したが、本発明はこれに限定されるものではない。相対的にスライド移動する第２カバー７２は、筐体２００の外側に配置されてもよい。この場合、第２カバー７２のシート幅方向の両端部に第１付勢部７２１と同様の付勢部が配置されることで、第２カバー７２のスライド移動が可能とされる。
【符号の説明】
【００８２】
１００  プリンター
１１０  カセット（シートカセット）
１１０Ａ  カセット前面部
１１０Ｂ  カセット側方後縁部
１１０Ｃ  カセット後面部（壁部）
１１０Ｄ  当接部
１１０Ｅ  第１当接面
１１０Ｆ  第２当接面
１１０Ｄ１  上端部
１１０Ｐ  把持開口部（切欠き部）
１１０Ｓ  シート収容部
１１１  リフト板
１１２  ピックアップローラー
１１３  給紙ローラー
１１４  リタードローラー
１１５  搬送ローラー
１１６  レジストローラー対
１２０  画像形成部
１２１  感光体ドラム
１２２  帯電器
１２４  現像装置
１２６  転写ローラー
１２７  クリーニング装置
２００  筐体
２００Ｐ  挿入部
２００Ｑ  開口部
２０１  上壁
２１０  排紙部
２４５  背面壁（第２の壁部）
２５０  前壁（第１の壁部）
２６０  本体内部空間（内部空間）
７  カセットカバー（カバー部材）
７１  第１カバー（第１プレート）
７１０  支点部
７１１  第１基板部
７１２  支持部
７１２Ａ  支持端部
７２  第２カバー（第２プレート）
７２０  第２基板部
７２１  第１付勢部
７２２  第２付勢部
７２２Ａ  先端部（自由端部）
７２２Ｂ  固定部（固定端部）
７２２Ｃ  傾斜部
８  アクチュエーター
【図１】
2014109622.tif 000003
【図２】
2014109622.tif 000004
【図３】
2014109622.tif 000005
【図４】
2014109622.tif 000006
【図５】
2014109622.tif 000007
【図６】
2014109622.tif 000008
【図７】
2014109622.tif 000009
【図８】
2014109622.tif 000010
【図９】
2014109622.tif 000011
【図１０】
2014109622.tif 000012
【図１１】
2014109622.tif 000013
【図１２】
2014109622.tif 000014
【図１３】
2014109622.tif 000015
【図１４】
2014109622.tif 000016